(57)【要約】【課題】 変化する体型に合うように調節できる伸縮ベルトを提供する。【解決手段】 本考案の伸縮ベルトは、妊婦にあっては、腹部を圧迫することなく、変化する体型に合わせてサイズを調節でき、従来(妊娠前)のスカートやスラックス又はジーパンなどが着用できる。また、年を重ね、肥満体型に変化した時のみに限らず、日常生活においても食事などを摂った後はウエストが窮屈になり、ボタン又はホックを外したくなるときがある。そんなときに使用できる伸縮ベルトを提供することにある。【選択図】図８
0003124176.tif 000002
【実用新案登録請求の範囲】
【請求項１】
基材伸縮部には平ゴム1を使用し、被服との係止部には、係止具200を使用し、さらに、本考案の伸縮ベルト100を、下着や上着の色彩に合わせて使用するあて布400の袋縫い部に通して使用することを特徴とする伸縮ベルト。
【請求項２】
請求項１に係る係止具200は、基材の平ゴム1に定着する定着片3と被服に保持する針片2からなっていることを特徴とする請求項１の伸縮ベルト。
【請求項３】
請求項１に係るあて布400の一辺は、伸縮ベルト100が通せるように、袋縫いを施し、伸縮ベルト100を通せるようにしたことを特徴とする請求項１及び請求項2の伸縮ベルト。
【請求項４】
あて布400に、ポケットを設けたことを特徴とする請求項１、請求項2及び請求項3の伸縮ベルト。
【考案の詳細な説明】
【技術分野】
【０００１】
本考案は、妊婦または肥満体型の人のウエスト伸縮用のベルトに関するものである。
【背景技術】
【０００２】
従来、妊婦用の洋服としては、腹部に負担がかからないように、ゆったりと多くめに仕立てられたマタニティードレスが知られているが、妊婦がスラックスやスカートなどを着用するときに使用するベルトとしては、1996年にオーストラリアで開発されたベリーベルトという商品が日本にも輸入され販売されている。
【０００３】
また、肥満体型用の紳士用の伸縮ベルトとしては、伸縮しない皮革ベルトとゴムが入った伸縮帯片とを縫合せにより交互に連結したもの（実開昭５８−１２８９２２号公報）、弾力性を有する全長のベルト本体に、部分的に伸縮しない布を貼り合わせ、ベルト本体部分のみで伸縮するようにしたもの（実開平１−１４９４２５号公報）、等を挙げることができる。
【０００４】
【特許文献１】特開平１０−２５１９１０号公報
【特許文献２】特開平１０−２８０２１９号公報
【特許文献３】特開平１１−８１０２０号公報
【特許文献４】特開２００３−３１３７１５号公報
【特許文献５】特開２０００−３４６１０号公報
【特許文献６】実開昭５８−１２８９２２号公報
【特許文献７】特開平１−１４９４２５号公報
【考案の開示】
【考案が解決しようとする課題】
【０００５】
しかし、マタニティードレスは、着用していると一見して妊婦と判ってしまい、しかもスマートでないため外出時やフォーマルな場所での着用には、あまり向かない。そこで一般に妊婦は、腹部の突出を目立たなくするために、普通のスカートを着用し、胎児の成長に従い大きくなった腹部に合わせて買い替えているが、突出した腹部に合わせたスカートは、裾回りも相応して大きくなるため、見栄えが悪い。また、窮屈になったスカートの着用は、腹部を圧迫し胎児に悪影響を与え、さらには、妊娠期間中のスカートの買替えは不経済である。したがって、本考案の課題は、従来(妊娠前)着用していたスラックスやスカートを着用しても腹部を圧迫せず、胎児に悪影響を与えないように、変化する体型に合うように調節でき、妊娠期間中、長期にわたってスカートやスラックスを着用できるために使用する伸縮ベルトを提供することにある。
【０００６】
また、肥満体型の人に限ったことではないが、多少窮屈なウエストサイズのスラックスやジーパン又はスカートなどを着用して食事などを摂ったときなど、ウエストのボタン又はホックを外したくなるときがある。そのようなときに、ボタンやホックを外してしまうとずり落ちてしまう、そんなときに使用できる伸縮ベルトを提供することにある。
【０００７】
本考案は、上記のような実情に鑑みて、ウエストの大きさが変わっても、ベルトの幅に制約されることなく腰部用の伸縮ベルトを提供することを目的とした。
【課題を解決するための手段】
【０００８】
上記課題を解決するため、本考案の伸縮ベルト100では、腹部を圧迫し胎児に悪影響を与えないように、伸縮部には平ゴム1を使用し、被服との保持には、安全にしかも確実に係止できる係止具200を使用する、さらに、本考案の伸縮ベルト100を、下着や上着の色彩に合わせて使用するあて布400の袋縫い部に通して使用することを特徴とする。
【０００９】
本考案の係止具200は、図4に示すように、基材の平ゴム1への定着する定着片3と被服への係着する針片2からなっていることを特徴とする。
【００１０】
また、あて布400の一辺は、伸縮ベルト100を通せるように、袋縫いを施し、伸縮ベルトを通して使用することを特徴とする。
【考案の効果】
【００１１】
本考案の伸縮ベルト100によれば、妊婦にあっては、腹部を圧迫することなく、変化する体型に合わせてサイズを調節でき、妊娠中の長期にわたって、従来(妊娠前)のスカートやスラックス又はジーパンなどが着用できる。
【００１２】
また、窮屈なウエストサイズのスラックスやジーパン又はスカートなどを着用して食事などを摂った場合、ウエストのボタン又はホックを外しても、本考案の伸縮ベル100とを着用することにより、ズボンやスカートなどがずり落ちることがなくなる。
【考案を実施するための最良の形態】
【００１３】
以下、この考案につき図面を参照しつつ詳細に説明する。なお、この実施の形態によりこの考案が限定されるものではない。また、以下に示す実施の形態の構成要素には、当業者が置換可能かつ容易なもの、或いは実質的同一のものが含まれる。
【実施例１】
【００１４】
[本考案の伸縮ベルトの構成]
図1は、本考案の実施例1に係る伸縮バンド100の上面図である。図2は、図1に示した伸縮バンド100の下面図である。図3は、図1に示した伸縮バンド100の上面図に示すＡ−Ａ'の断面図である。基材の平ゴム1は、例えば、長手方向に伸縮し、伸縮ゴムの幅は、3~5ｃｍが好ましいが、そのサイズに限ったものではない。なお、基材の平ゴム1には長手方向の両端に複数の係止部材200を定着した構造とする。
【００１５】
図4は、係止部材200の上面図である。図5は、図4に示す係止部材200のＢ−Ｂ'の断面図である。図4に示す係止部材200の材質はステンレス板が好ましいが、ステンレス板に限ったものではなく、合成強化プラスチックを用いてもよい。基材の平ゴム1に定着する定着片3は、点線以外の3辺を押切(プレス切断)し、図5の断面図に示すように下方に押し曲げる。また、針片2は、点線部を以外の2辺を押切(プレス切断)し、図5の断面図に示すように上方に折り曲げる。なお、合成強化プラスチックなどを用いる場合は、成型加工が望ましい。
【００１６】
上記に説明したように、係止部材200の定着片3を基材の平ゴム1に貫通して複数個定着して、本考案の伸縮ベルト100を完成する。
【００１７】
また、図7は、完成した伸縮ベルト100をあて布400の袋縫いの部位に通した図である。
あて布400は、短方向の一辺を伸縮ベルト100の幅に合わせ折りし、図7に示すミシン糸目401のように縫製する。このあて布400は、図8,図9,図10に示すように、窮屈になったファスナーやホックを外したときに、下着が見えるため、それを隠すことを目的にしているため、色彩は、外着の色彩と同系色が望ましい。
[本考案の伸縮ベルトの使用方法]
【００１８】
図7は、あて布400の袋縫い部位に本考案の伸縮ベルト100を通した図である。
【００１９】
図8は、本考案の伸縮ベルト100を使用する斜視図であるが、図8に示すように、係止部材200の針片2は、外側に向けられている。この針片2を被服300の腰部の内側に係止して、被服300と伸縮ベルト100を係止する。
【００２０】
図9は、妊婦がジーパン又はスラックスに取り付けた斜視図である。
【００２１】
また、図10は、タイトスカートに本考案の伸縮ベルト100を係止した図である。
【図面の簡単な説明】
【００２２】
【図１】本考案の伸縮ベルトの上面図
【図２】本考案の伸縮ベルトの裏面図
【図３】本考案の伸縮ベルトの断面図(Ａ−Ａ')
【図４】係止部材の上面図
【図５】係止部材の断面図（Ｂ−Ｂ'）
【図６】本考案の伸縮ベルトを被服に係着した断面図
【図７】あて布に本考案の伸縮ベルトを通した図
【図８】あて布に本考案の伸縮ベルトを通し、ズボンに使用した斜視図
【図９】あて布に本考案の伸縮ベルトを通し、ジーパンに使用した斜視図
【図１０】タイトスカートにあて布を通した本考案の伸縮ベルトを取り付けた図
【符号の説明】
【００２３】
１００  本考案の伸縮ベルト
２００  係止部材
３００  被服部
４００  あて布
４０１  ミシン糸目
４０２  ポケット
５００  スカート
５０１  スカート腰部
５０２  スカートファスナー
１  基材の平ゴム
２  被服に係着する針片
３  定着片
【図１】
0003124176.tif 000003
【図２】
0003124176.tif 000004
【図３】
0003124176.tif 000005
【図４】
0003124176.tif 000006
【図５】
0003124176.tif 000007
【図６】
0003124176.tif 000008
【図７】
0003124176.tif 000009
【図８】
0003124176.tif 000010
【図９】
0003124176.tif 000011
【図１０】
0003124176.tif 000012